(57)【要約】【課題】雪下ろし作業を行う際に、梯子から屋根に乗り移る際や屋根から梯子に乗り移る際における安全性を高めることができ、簡素な構成により製造コストを低減できるとともに普及しやすい梯子用手摺アタッチメントを提供する。【解決手段】梯子１１の上端部に取り付けて使用する左部材１Ｌ及び右部材１Ｒからなる梯子用手摺アタッチメント１であって、左部材１Ｌ及び右部材１Ｒは、梯子１１の支柱１２Ｌ，１２Ｒに取り付けられる取付部２及び手摺として使用される手摺部３を備えるとともに、取付部２から手摺部３にわたる一体形状の本体部１Ａを備える。左部材１Ｌ及び右部材１Ｒを左右の支柱１２Ｌ，１２Ｒに取り付けた状態で、左右の取付部２，２の間隔Ａよりも左右の手摺部３，３の間隔Ｂを広くした。【選択図】図２
0003200696.tif 000002
【実用新案登録請求の範囲】
【請求項１】
梯子の上端部に取り付けて使用する梯子用手摺アタッチメントであって、
梯子の支柱に取り付けられる取付部から手摺として使用される手摺部にわたる一体形状の本体部を備え、
前記支柱に前記取付部を取り付けた状態で、前記取付部よりも前記手摺部が左右方向外方へ位置していることを特徴とする梯子用手摺アタッチメント。
【請求項２】
梯子の左右の支柱に取り付けられる左右の取付部、及び手摺として使用される左右の手摺部を備え、
前記支柱に前記取付部を取り付けた状態で、前記左右の取付部の間隔よりも前記左右の手摺部の間隔を広くしてなる請求項１記載の梯子用手摺アタッチメント。
【請求項３】
前記左右の取付部が別体である請求項２記載の梯子用手摺アタッチメント。
【請求項４】
前記本体部における前記取付部及び前記手摺部の間の部分を曲線状に屈曲させることにより、前記取付部よりも前記手摺部を左右方向外方へ位置させてなる請求項１〜３の何れか１項に記載の梯子用手摺アタッチメント。
【請求項５】
前記取付部を前記支柱の上端部に外嵌するとともに、前記取付部を前記梯子の踏桟に固定することにより、前記支柱に前記取付部が取り付けられる請求項１〜４の何れか１項に記載の梯子用手摺アタッチメント。
【請求項６】
前記本体部が、四角形状パイプである金属製、又はリップ溝形断面である金属製である請求項１〜５の何れか１項に記載の梯子用手摺アタッチメント。
【請求項７】
前記本体部がアルミニウム合金製である請求項１〜６の何れか１項に記載の梯子用手摺アタッチメント。
【請求項８】
前記左右の手摺部の上端部に架け渡して固定する横架部材、及び前記横架部材の中間部分に取り付けた滑車を備えてなる請求項２〜７の何れか１項に記載の梯子用手摺アタッチメント。
【考案の詳細な説明】
【技術分野】
【０００１】
本考案は、梯子から屋根に乗り移る際や屋根から梯子に乗り移る際における安全を確保するために、梯子の上端部よりも上方に手摺を設けた梯子用手摺アタッチメントに関する。
【背景技術】
【０００２】
我が国では、約２０００万人もの人々が豪雪地帯で生活をしており、豪雪地帯では積雪が数メートル以上にも及ぶことがある。
したがって、豪雪地帯における殆どの家屋において、積雪による雪の重みによる倒壊を防ぐために、屋根の除雪作業（雪下ろし作業）を行う必要がある。
また、雪下ろし作業中の事故の統計によると、屋根からの転落事故の比率が高いことが分かっている。
このような雪下ろし作業を行う際には、多くの場合、スノーダンプやスコップ等の雪下ろし用機材を保持した状態で、屋根に立て掛けた梯子を使って屋根に登る必要があり、梯子から屋根に乗り移る際に作業者の体勢が不安定になりやすいため、転落する危険性が高くなっている。また、屋根から降りる際に屋根から梯子に乗り移る際も、同様に転落する危険性が高くなっている。
【０００３】
雪下ろし作業を行う際における前記危険性を排除することを目的としたものではないが、梯子を昇降する際の安全性を高めるために、梯子の上端部よりも上方に手摺を設けるようにした梯子用手摺アタッチメントがある（例えば、特許文献１〜３参照）。
特許文献１の梯子用手摺アタッチメント（はしご昇降補助器）は、梯子の支柱（側桁）の一方の先端に取り付けるものであり、にぎりて（２）の基端側の支持部材の挿入口（１）内に前記支柱の上端から最上の踏桟までの部分を挿入してボルト（３，３）で固定することにより、にぎりて（２）を支持するものである。
また、特許文献２の梯子用手摺アタッチメント（梯子アタッチメント）は、最上の踏桟（１９）を利用して梯子本体（１５）の上端の建物側の面に取り付けられたベース枠（２９）に左右の取付パイプ（４３，４３）を設け、取付パイプ（４３，４３）により左右の手摺パイプ（３３，３３）を支持するものである。
さらに、特許文献３の梯子用手摺アタッチメント（梯子用手摺）は、梯子（３０）上端部の上下の横桟（３３，３３）内に挿通される連結具（２８，２８）の両端にクランプ（４５〜４８）を固定し、クランプ（４５〜４８）により左右の手摺本体（４１，４２）を支持するものである。
【先行技術文献】
【特許文献】
【０００４】
【特許文献１】実開平５−６１４００号公報
【特許文献２】特開２０１２−０８７５２４号公報
【特許文献３】特開２０００−１８６４８１号公報
【考案の概要】
【考案が解決しようとする課題】
【０００５】
特許文献１の梯子用手摺アタッチメントのように、梯子の上端部よりも上方の左右一方ににぎりて（２）を設ける構成の場合、にぎりて（２）を持つことにより作業者の体勢を安定化する一定の効果はある。
しかしながら、にぎりて（２）の左右方向位置が支柱の左右方向位置と同じであるので、特に雪下ろし作業を行う際に前記雪下ろし用機材を保持した状態で屋根に乗り移る場合等において、梯子に沿って屋根に乗り移ると、雪下ろし機材がにぎりて（２）に衝突して作業者の体勢が不安定になる場合がある。
なお、仮に特許文献１のにぎりて（２）を左右両方に設けた場合において、左右のにぎりて（２，２）の間隔は、梯子の左右の支柱の間隔と同じになる。
よって、市販されている梯子の踏桟の左右方向長さは長いものでも約３５ｃｍ程度であることから、特に雪下ろし作業を行う際に前記雪下ろし用機材を保持した状態で屋根に乗り移る際等においては、左右のにぎりて（２，２）の間を通過するのが困難であるので、梯子から屋根に乗り移る際や屋根から梯子に乗り移る際に転落する危険性が高い。
【０００６】
特許文献２及び３の梯子用手摺アタッチメントのように、梯子の上端部よりも上方の左右両方に手摺（手摺パイプ３３，３３、手摺本体４１，４２）を設ける構成の場合、左右の手摺は左右の支柱よりも左右方向の外方に位置しているが、強度確保や取付けの構造上、左右の手摺は左右の支柱に近接する位置に配置される。したがって、市販されている梯子の踏桟の左右方向長さは長いものでも約３５ｃｍ程度であるので、左右の手摺の間隔は大きいものでも約４５ｃｍ程度であると推定される。
よって、特に雪下ろし作業を行う際に前記雪下ろし用機材を保持した状態で屋根に乗り移る際等においては、左右の手摺間を通過するのが困難な場合があるので、その場合には、梯子から屋根に乗り移る際や屋根から梯子に乗り移る際に転落する危険性が高くなる。
その上、特許文献２の梯子用手摺アタッチメントの構成では、手摺を設けるためベース枠（２９）や取付パイプ（４３，４３）等を設ける構造が複雑になるので、製造コストが増大する。
また、特許文献３の梯子用手摺アタッチメントの構成では、手摺を上下左右のクランプ（４５〜４８）により支持するので、手摺の長さが長くなるとともに、上下の横桟（３３，３３）内に挿通する連結具（２８，２８）の両端にクランプ（４５〜４８）を固定する構造が複雑になるので、製造コストが増大する。
【０００７】
そこで本考案が前述の状況に鑑み、解決しようとするところは、特に雪下ろし作業を行う際に、梯子から屋根に乗り移る際や屋根から梯子に乗り移る際における安全性を高めることができ、簡素な構成により製造コストを低減できるとともに普及しやすい梯子用手摺アタッチメントを提供する点にある。
【課題を解決するための手段】
【０００８】
本考案に係る梯子用手摺アタッチメントは、前記課題解決のために、梯子の上端部に取り付けて使用する梯子用手摺アタッチメントであって、梯子の支柱に取り付けられる取付部から手摺として使用される手摺部にわたる一体形状の本体部を備え、前記支柱に前記取付部を取り付けた状態で、前記取付部よりも前記手摺部が左右方向外方へ位置していることを特徴とする（請求項１）。
【０００９】
このような構成によれば、梯子を構成する強度の高い支柱に取付部を取り付けた状態で、取付部よりも手摺部が左右方向外方へ位置している。
よって、スノーダンプ等の雪下ろし用機材を保持した状態で、梯子に沿って梯子から屋根に乗り移る場合や、梯子に沿って屋根から梯子に乗り移る場合において、雪下ろし機材が手摺部に衝突しにくいことから、作業者の体勢が不安定になりにくいので、安全性が高くなる。
【００１０】
ここで、梯子の左右の支柱に取り付けられる左右の取付部、及び手摺として使用される左右の手摺部を備え、前記支柱に前記取付部を取り付けた状態で、前記左右の取付部の間隔よりも前記左右の手摺部の間隔を広くしてなるのが好ましい（請求項２）。
このような構成によれば、左右の手摺部の間隔が左右の取付部の間隔よりも広いので、スノーダンプ等の雪下ろし用機材を保持した状態で、梯子から屋根に乗り移る場合や、屋根から梯子に乗り移る場合において、左右の手摺部を持ちながら左右の手摺部の間を通過できるので、安全性が一層高くなる。
【００１１】
また、前記左右の取付部が別体であるのがより好ましい（請求項３）。
このような構成によれば、同じ梯子用手摺アタッチメントを幅（左右方向長さ）が異なる梯子に取り付けて使用できる。
【００１２】
さらに、前記本体部における前記取付部及び前記手摺部の間の部分を曲線状に屈曲させることにより、前記取付部よりも前記手摺部を左右方向外方へ位置させてなるのが一層好ましい（請求項４）。
このような構成によれば、取付部及び手摺部の間の部分を曲線状に屈曲させているので、角部がないことから安全性がより高くなるとともに製造コストを低減できる。
その上、滑らかですっきりとした外観になるので、意匠性が高くなる。
【００１３】
さらにまた、前記取付部を前記支柱の上端部に外嵌するとともに、前記取付部を前記梯子の踏桟に固定することにより、前記支柱に前記取付部が取り付けられるのがより一層好ましい（請求項５）。
このような構成によれば、支柱の上端部に取付部を外嵌させた状態で、既存の梯子の踏桟に取付部を固定する作業により梯子への取付けが完了する。
よって、簡素な構成により製造コストを低減できるとともに、既存の梯子に簡単に取り付けることができる。
その上、強度の高い支柱に取付部が外嵌されるので、取付部の強度及び剛性の確保が容易になる。
【００１４】
また、前記本体部が、四角形状パイプである金属製、又はリップ溝形断面である金属製であるのが好ましい（請求項６）。
このような構成によれば、梯子の支柱に取り付けられる取付部から手摺として使用される手摺部にわたる一体形状の本体部が四角形状パイプである金属製、又はリップ溝形断面である金属製であるので、本体部の強度が高くなるとともに、本体部の曲げ剛性及びねじり剛性が大きくなるため変形しにくくなる。
【００１５】
また、前記本体部がアルミニウム合金製であるのがより好ましい（請求項７）。
このような構成によれば、容易に軽量化及び防錆化を図ることができる。
【００１６】
さらに、前記左右の手摺部の上端部に架け渡して固定する横架部材、及び前記横架部材の中間部分に取り付けた滑車を備えてなるのが一層好ましい（請求項８）。
このような構成によれば、梯子の上端部に取り付けられた梯子用手摺アタッチメントの上端部に掛け渡された横架部材の中間部分に滑車を備えているので、作業者が滑車を利用してスノーダンプ等の雪下ろし用機材を吊り上げることができる。
よって、作業者がスノーダンプ等の雪下ろし用機材を保持した状態で梯子の昇降をする必要がなくなるので、安全性がより一層高くなる。
【考案の効果】
【００１７】
以上のように、本考案に係る梯子用手摺アタッチメントによれば、
（１）スノーダンプ等の雪下ろし用機材を保持した状態で、梯子から屋根に乗り移る場合や、屋根から梯子に乗り移る場合において、手摺部を持ちながら梯子に沿って、又は左右の手摺部を持ちながら左右の手摺部の間を通過できるので、安全性が高くなること、
（２）梯子用手摺アタッチメントの上端部に掛け渡された横架部材の中間部分に滑車を備えたものでは、作業者がスノーダンプ等の雪下ろし用機材を保持した状態で梯子の昇降をする必要がなくなるので、安全性がより一層高くなること、
（３）簡素な構成により製造コストを低減できるとともに、既存の梯子に簡単に取り付けることができるので、普及しやすいこと、
等の顕著な効果を奏する。
【図面の簡単な説明】
【００１８】
【図１】梯子用手摺アタッチメントを梯子に取り付けた状態を示す要部拡大斜視図である。
【図２】同じく縦断正面図である。
【図３】（ａ）は梯子用手摺アタッチメントの分解斜視図及び梯子の上端部の斜視図、（ｂ）は取付部の構造を拡大して示す分解斜視図である。
【図４】梯子の支柱及び支柱に外嵌する梯子用手摺アタッチメントの取付部を示す斜視図であり、（ａ）は支柱の幅Ｗ１に合わせて製作した梯子用手摺アタッチメントの例を、（ｂ）は（ａ）と同じ梯子用手摺アタッチメントを幅Ｗ２が小さい支柱（Ｗ２＜Ｗ１）に外嵌する場合にスペーサを用いる例を示している。
【図５】梯子用手摺アタッチメントが取り付けられた梯子を家屋の屋根に立て掛けた状態を示す要部拡大概略右側面図である。
【図６】梯子固定用金具の説明図であり、（ａ）は要部拡大右側面図、（ｂ）は部分横断平面図である。
【図７】梯子固定用金具の分解斜視図である。
【図８】梯子用手摺アタッチメントの取付部の構造の変形例を示す要部拡大斜視図であり、（ａ）は取付部にフックを用いた例、（ｂ）は取付部にＵボルトを用いた例を示している。
【図９】本体部の形状及び取付部の構造の変形例を示す要部拡大斜視図であり、（ａ）は本体部をリップ溝形断面形状にして取付部に上下のプレートを用いた例、（ｂ）は本体部を円管状にして取付部にクランプを用いた例を示している。
【図１０】本体部の形状及び取付部の構造の変形例を示す要部拡大斜視図であり、本体部を丸パイプで形成したフレーム体にして取付部に取付板を用いた例を示している。
【図１１】雪下ろし用機材吊上げ手段の分解斜視図、及び梯子用手摺アタッチメントが取り付けられた梯子の上端部の斜視図である。
【図１２】雪下ろし用機材吊上げ手段によりスノーダンプを吊り上げている状態を示す正面図である。
【図１３】同じく要部拡大縦断面正面図である。
【図１４】同じく要部拡大概略右側面図である。
【考案を実施するための形態】
【００１９】
次に本考案の実施の形態を添付図面に基づき詳細に説明するが、本考案は、添付図面に示された形態に限定されず実用新案登録請求の範囲に記載の要件を満たす実施形態の全てを含むものである。
本明細書においては、梯子を屋根に立て掛ける際に手前側から見て前後左右を言うものとし、梯子の姿勢については、直立させた姿勢、又は屋根に立て掛けた姿勢を基準とし、手前から見た図（後方から前方に向かって見た図）を正面図とする。
【００２０】
図１の要部拡大斜視図、図２の縦断正面図、並びに図３（ａ）の分解斜視図に示すように、本考案の実施の形態に係る梯子用手摺アタッチメント１は、梯子１１の上端部に取り付けて使用され、左右別体の左部材１Ｌ、及び右部材１Ｒを備える。
左部材１Ｌは、梯子１１の左支柱１２Ｌに取り付けられる取付部２から手摺として使用される手摺部３にわたる一体形状の本体部１Ａ、及びキャップ部１Ｂからなり、右部材１Ｒは、梯子１１の右支柱１２Ｒに取り付けられる取付部２から手摺として使用される手摺部３にわたる一体形状の本体部１Ａ、及びキャップ部１Ｂからなる。
ここで、本体部１Ａは四角形状パイプである金属製（例えばアルミニウム合金製）であり、キャップ部１Ｂは合成樹脂製である。
なお、左部材１Ｌ、及び右部材１Ｒは、図２に示すように正面視で対称形状であり、互換性があるので、同じ物を用いることができる。
【００２１】
次に、左部材１Ｌの左支柱１２Ｌへの取付け、及び右部材１Ｒの右支柱１２Ｒへの取付けについて説明する。
図３（ｂ）の分解斜視図に示すように、取付部２の左右方向外方には抜止めピン挿入穴４が形成されるとともに、抜止めピン挿入穴４の上下には凹部４Ａ，４Ａが形成されており、抜止めピン５にはその側面に凸部５Ａが形成されている。
【００２２】
先ず、図３（ａ）に示すように、支柱１２Ｌ，１２Ｒの上端部に取付部２を上方から外嵌し、図１に示すように、取付部２の左右方向内方の切欠２Ａに最上の踏桟１３が入った状態にする。
次に、図３（ａ）及び図３（ｂ）に示すように、抜止めピン５の凸部５Ａが抜止めピン挿入穴４の凹部４Ａを通るように、抜止めピン５を梯子１１の最上の踏桟１３内の中空部１３Ａに挿入した後、抜止めピン５を９０°程度回動させる。
以上の手順により、左部材１Ｌ及び右部材１Ｒが、抜止めされた状態で左支柱１２Ｌ及び右支柱１２Ｒへ取り付けられる。
なお、図４（ａ）の斜視図に示すように梯子の支柱１２Ｌの幅Ｗ１に合わせて製作した梯子用手摺アタッチメント１を、図４（ｂ）の斜視図に示すように支柱の幅Ｗ２（Ｗ２＜Ｗ１）が小さい支柱１２Ｌに外嵌して使用する場合には、例えば合成樹脂部製の適当な厚さのスペーサ６，６，…を支柱１２Ｌの前後面に貼付すればよい。
【００２３】
このような左部材１Ｌ及び右部材１Ｒの左支柱１２Ｌ及び右支柱１２Ｒへの取付け構造によれば、支柱１２Ｌ，１２Ｒの上端部に取付部２を外嵌させた状態で、既存の梯子１１に存在する踏桟１３内の中空部１３Ａを利用して、取付部２の左右方向外方の挿入穴４から最上の踏桟１３内の中空部１３Ａに抜止めピン５を挿入する作業により、梯子用手摺アタッチメント１の梯子１１への取付けが完了する。よって、簡素な構成により製造コストを低減できるとともに、既存の梯子１１に簡単に取り付けることができる。
また、強度の高い支柱１２Ｌ，１２Ｒに取付部２が外嵌されるので、取付部２の強度及び剛性の確保が容易になる。
【００２４】
図１及び図２に示すように、梯子１１に取り付けられた梯子用手摺アタッチメント１において、左右の手摺部３，３の間隔Ｂは、左右の取付部２，２の間隔Ａよりも大きい（Ｂ＜Ａ）。
左右の取付部２，２の間隔Ａは、踏桟１３の左右方向長さに略等しく、踏桟１３の左右方向長さは長いものでも約３５ｃｍ程度である。よって、間隔Ａは、長くても約３５ｃｍ程度である。
それに対して左右の手摺部３，３の間隔Ｂは、取付部２及び手摺部３の間の部分を曲線状に屈曲させることにより、５０ｃｍ以上になるように設定される。
間隔Ｂを５０ｃｍ以上にするのは、手摺部３，３の間の通過しやすさ、及び手摺部３，３を掴んだ状態での梯子１１の昇降しやすさを考慮したものである。
【００２５】
以上のとおり、左右の手摺部３，３の間隔Ｂは、左右の取付部２，２の間隔Ａよりもかなり大きく、例えば５０ｃｍ以上に設定される。
よって、図５の要部拡大概略右側面図に示すように、梯子用手摺アタッチメント１が取り付けられた梯子１１を家屋Ｈの屋根Ｒに立て掛けた状態で、屋根Ｒ上の雪Ｓの除雪作業（雪下ろし作業）を行うために、作業者がスノーダンプやスコップ等の雪下ろし用機材を保持して梯子１１から屋根Ｒに乗り移る場合において、間隔Ｂが広い左右の手摺部３，３の間を、左右の手摺部３，３を持ちながら通過できるので、安全性が非常に高くなる。
また、取付部２及び手摺部３の間の部分を曲線状に屈曲させているので、角部がないことから安全性がより高くなるとともに、梯子用手摺アタッチメント１の製造コストを低減できる。その上、梯子用手摺アタッチメント１の外観が、滑らかですっきりとしたものとなることから、意匠性が高くなる。
【００２６】
図５のように梯子１１を家屋Ｈの屋根Ｒに立て掛けて使用する場合、安全面から梯子１１の転倒防止をするのが好ましく、以下において梯子１１の転倒防止を行うための構造の一例について説明する。
図６（ａ）の要部拡大右側面図、及び図６（ｂ）の部分横断平面図に示す梯子固定用金具Ｃを梯子１１の左右の支柱１２Ｌ，１２Ｒ（あるいは左右の支柱の一方）に取り付け、梯子固定用金具Ｃのワイヤー取付穴１４Ｄにワイヤー２０を掛けて引っ張り、ワイヤー２０の端部を家屋Ｈ等に固定することにとり、梯子１１の転倒防止を容易に行うことができる。
梯子固定用金具Ｃは、図６（ｂ）の部分横断平面図、及び図７の分解斜視図に示すように、Ｌ字状板材である本体金具１４、ブロック状固定部材１５、矩形状板材である押圧部材１６、並びに、ボルト１７，１７、ナット１８，１８、及び六角穴付きボルト１９，１９により構成される。
本体金具１４の通孔１４Ａ，１４Ａにボルト１７，１７を挿通して固定部材１５の螺孔１５Ａ，１５Ａに螺合し、本体金具１４の通孔１４Ｂに押圧部材１６の凸部１６Ａを挿入した状態で、図６（ｂ）の部分横断平面図に示すように、押圧部材１６Ａを梯子１１の支柱１２Ｒのフランジ内方に位置させ、本体金具１４の螺孔１４Ｃ，１４Ｃに六角穴付きボルト１９，１９を螺合して押圧部材１６を押すことにより梯子固定用金具Ｃが支柱１２Ｒに固定される。なお、六角穴付きボルト１９，１９に螺合したナット１８，１８により六角穴付きボルト１９，１９の緩み止めを行うことができる。
【００２７】
次に、梯子用手摺アタッチメント１の取付部２の構造の変形例について説明する。
取付部２を支柱１２Ｌ，１２Ｒの上端部に外嵌して抜け止めする構成は、図１〜図３のような抜止めピン５を用いる構成の他、図８（ａ）の要部拡大斜視図のようにフック２１Ａで踏桟１３を掛止して取付ねじ２１Ｂで固定する構成、図８（ｂ）の要部拡大斜視図のようにＵボルト２２Ａ及びナット２２Ｂ，２２ＢによりＵボルト２２Ａを踏桟１３に固定する構成、又は図９（ａ）の要部拡大斜視図のように上下のプレート２３Ａ，２３Ａ及び取付ねじ２３Ｂ，２３Ｂ，…により踏桟１３に固定する構成等であってもよい。
また、取付部２を支柱１２Ｌ，１２Ｒの上端部に外嵌せずに梯子１１の支柱１２Ｌ，１２Ｒの上端部に取り付ける構成として、図９（ｂ）の要部拡大斜視図のようにクランプ２４を用いる構成、又は図１０の要部拡大斜視図のように取付板２５Ａ，２５Ａ及び取付ねじ２５Ｂ，２５Ｂ，…を用いる構成等がある。
【００２８】
次に、梯子用手摺アタッチメント１における取付部２から手摺部３にわたる一体形状の本体部１Ａの形状の変形例について説明する。
梯子用手摺アタッチメント１の本体部１Ａは、図１〜図４、並びに図８（ａ）及び図８（ｂ）のように四角形状パイプであるものの他、図９（ａ）のようなリップ溝形（Ｃ形）断面形状、図９（ｂ）のような円管状、又は図１０のような丸パイプで形成したフレーム体形状等であってもよい。
ここで、本体部１Ａを、四角形状パイプである金属製、又はリップ溝形断面である金属製にすることにより、本体部１Ａの強度が高くなるとともに、本体部１Ａの曲げ剛性及びねじり剛性が大きくなるため変形しにくくなる。
また、本体部１Ａをアルミニウム合金製にすることにより、容易に軽量化及び防錆化を図ることができる。
【００２９】
次に、スノーダンプやスコップ等の雪下ろし用機材を吊り上げる雪下ろし用機材吊上げ手段の構成例について説明する。
雪下ろし用機材吊上げ手段Ｉは、図１１の分解斜視図、図１２の正面図、図１３の要部拡大縦断正面図、及び図１４の要部拡大概略右側面図に示すように、梯子用手摺アタッチメント１の左右の手摺部３，３の上端部に架け渡して固定する横架部材７、及び横架部材７の中間部分に取り付けた滑車８等を備える。
例えば横架部材７の左端部に設けた垂下板１０，１０を、梯子用手摺アタッチメント１の左部材１Ｌの左右に位置させた状態で、ピン９を垂下板１０の通孔１０Ａ及び手摺部３の通孔３Ａに挿通することにより、横架部材７を手摺部３，３の上端部に架け渡した状態が保持される。
このような雪下ろし用機材吊上げ手段Ｉは、梯子１１に梯子用手摺アタッチメント１を取り付ける際に梯子用手摺アタッチメント１に取り付けてもよい。また、図１２及び図１３に示すように横架部材７の上面に例えば紐Ｅを鋲Ｆ，Ｆにより取り付けておくことにより持ちやすく、軽量であるので、梯子用手摺アタッチメント１が取り付けられた梯子１１を使って作業者が屋根Ｒに登った状態で、作業者が梯子用手摺アタッチメント１に雪下ろし用機材吊上げ手段Ｉを取り付けるようにしてもよい。
【００３０】
図１２及び図１４に示すように、雪下ろし用機材であるスノーダンプＤに下端部を取り付けた吊上げ紐Ｇを滑車８に掛けた状態で、図１４に示すように作業者が吊上げ紐Ｇを引くことにより、スノーダンプＤを容易に吊り上げて手繰り寄せることができる。
また、同様に、雪下ろし作業が終了した際には、雪下ろし用機材吊上げ手段Ｉの滑車８を利用して、作業者がスノーダンプＤを吊り下げながら地上まで降ろすことができる。
よって、このような雪下ろし用機材吊上げ手段Ｉを用いることにより、作業者が梯子１１を昇降する際に、スノーダンプＤ等の雪下ろし用機材を保持する必要がなくなるので、安全性がより一層高くなる。
【００３１】
以上の説明においては、梯子用手摺アタッチメント１の左右の取付部２，２が別体（すなわち左部材１Ｌ及び右部材１Ｒが別体）である構成を示したが、左右の取付部２，２を一体のものとしてもよい。ただし、左右の取付部２，２を別体にすることにより、同じ梯子用手摺アタッチメント１を幅（左右方向長さ）が異なる梯子１１に取り付けて使用できる。
また、以上の説明においては、梯子用手摺アタッチメント１が左部材１Ｌ及び右部材１Ｒの両方を備えた例を示したが、梯子用手摺アタッチメント１は左部材１Ｌ及び右部材１Ｒの一方のみを備えたものであってもよい。このような構成によれば、梯子１１の支柱１２Ｌ，１２Ｒの一方に取付部２を取り付けた状態で、取付部２よりも手摺部３が左右方向外方へ位置している。
よって、スノーダンプＤ等の雪下ろし用機材を保持した状態で、梯子１１に沿って梯子１１から屋根Ｒに乗り移る場合や、梯子１１に沿って屋根Ｒから梯子１１に乗り移る場合において、雪下ろし機材が手摺部３に衝突しにくいことから、作業者の体勢が不安定になりにくいので、安全性が高くなる。
さらに、以上の説明においては、梯子用手摺アタッチメント１が取り付けられた梯子１１を雪下ろし作業に用いる場合を示したが、雪下ろし作業以外に用いてもよい。
【符号の説明】
【００３２】
１  梯子用手摺アタッチメント            １Ａ  本体部
１Ｂ  キャップ部                        １Ｌ  左部材
１Ｒ  右部材                            ２  取付部
２Ａ  切欠                              ３  手摺部
３Ａ  通孔                              ４  抜止めピン挿入穴
４Ａ  凹部                              ５  抜止めピン
５Ａ  凸部                              ６  スペーサ
７  横架部材                            ８  滑車
９  ピン                                １０  垂下板
１０Ａ  通孔                            １１  梯子
１２Ｌ  左支柱                          １２Ｒ  右支柱
１３  踏桟                              １３Ａ  中空部
１４  本体金具                          １４Ａ，１４Ｂ  通孔
１４Ｃ  螺孔                            １４Ｄ  ワイヤー取付穴
１５  固定部材                          １５Ａ  螺孔
１６  押圧部材                          １６Ａ  凸部
１７  ボルト                            １８  ナット
１９  六角穴付きボルト                  ２０  ワイヤー
２１Ａ  フック                          ２１Ｂ  取付ねじ
２２Ａ  Ｕボルト                        ２２Ｂ  ナット
２３Ａ  プレート                        ２３Ｂ  取付ねじ
２４  クランプ                          ２５Ａ  取付板
２５Ｂ  取付ねじ
Ａ，Ｂ  間隔                            Ｃ  梯子固定用金具
Ｄ  スノーダンプ（雪下ろし用機材）      Ｅ  紐
Ｆ  鋲                                  Ｇ  吊上げ紐
Ｈ  家屋                                Ｉ  雪下ろし用機材吊上げ手段
Ｒ  屋根                                Ｓ  雪
Ｗ１，Ｗ２  幅
【図１】
0003200696.tif 000003
【図２】
0003200696.tif 000004
【図３】
0003200696.tif 000005
【図４】
0003200696.tif 000006
【図５】
0003200696.tif 000007
【図６】
0003200696.tif 000008
【図７】
0003200696.tif 000009
【図８】
0003200696.tif 000010
【図９】
0003200696.tif 000011
【図１０】
0003200696.tif 000012
【図１１】
0003200696.tif 000013
【図１２】
0003200696.tif 000014
【図１３】
0003200696.tif 000015
【図１４】
0003200696.tif 000016